(57)【要約】【課題】本発明は、ジャガイモそうか病の防除に有効な土壌改良材を提供することを課題とする。さらに、天然の海藻の中で、特にこれらの特性に優れた海藻を見出すとともに、どのような形体でどのような使い方をすれば効果を発揮することができるかを見出すことを目的とする。【解決手段】紅藻ソゾノハナ（Ｌａｕｒｅｎｃｉａ  ｂｒｏｎｇｎｉａｒｔｉｉ）の抽出物  からなる土壌改良材、または担体に吸着させた土壌改良材を用いる。また、抽出物を栽培用土に混和する。【特許請求の範囲】
【請求項１】
紅藻ソゾノハナ（Ｌａｕｒｅｎｃｉａ  ｂｒｏｎｇｎｉａｒｔｉｉ）の粉末状粒子を含有することを特徴とするジャガイモそうか病防除土壌改良材。
【請求項２】
紅藻ソゾノハナ（Ｌａｕｒｅｎｃｉａ  ｂｒｏｎｇｎｉａｒｔｉｉ）の抽出物を含有することを特徴とするジャガイモそうか病防除土壌改良材。
【請求項３】
紅藻ソゾノハナ（Ｌａｕｒｅｎｃｉａ  ｂｒｏｎｇｎｉａｒｔｉｉ）の抽出物を担体に保持させるジャガイモそうか病防除土壌改良材。
【請求項４】
請求項１から請求項３のいづれかに記載の病防除土壌改良材を栽培用土に混和せしめることを特徴とする施用法。
【発明の詳細な説明】
【０００１】
【発明が属する技術分野】
本発明は、紅藻ソゾノハナ（Ｌａｕｒｅｎｃｉａ  ｂｒｏｎｇｎｉａｒｔｉｉ）の抽出物を含有してなる、安全性かつ安定性に優れた環境に優しいジャガイモそうか病防除土壌改良材及びその施用法に関するものである。
【０００２】
【従来の技術】
ジャガイモのそうか病の防除には銅水和剤などを用いる種芋消毒処理防除［防除必携、平成１４年度版、鹿児島県出版Ｐ９５〜９６、（以下、非特許文献１という）］、クロルピクリン剤などを用いる土壌消毒処理の防除［防除必携、平成１４年度版、鹿児島県出版Ｐ２２３、（以下、非特許文献２という）］がある。
特開２００１−２４５６５６号（以下、特許文献１という）には、「馬鈴薯を含む農作物のそうか病病原菌ストレプトマイセス属放線菌の増殖を阻害することができるバチラス属サブチリス種に属する細菌（本明細書では、単に「本発明の細菌」ということもある。）を提供する。より詳細には、馬鈴薯を含む農作物のそうか病病原菌ストレプトマイセス属放線菌の増殖を阻害することができ、かつバチラス・サブチリス（Ｂａｃｉｌｌｕｓ  ｓｕｂｔｉｌｉｓ）ＳＡＭ２２６６株、ＳＡＭ２２６７株、ＳＡＭ２２６９株、またはＳＡＭ２２７０株の特性を有する細菌を提供する。本発明はその中でも、バチラス・サブチリス（Ｂａｃｉｌｌｕｓ  ｓｕｂｔｉｌｉｓ）ＳＡＭ２２６６株、ＳＡＭ２２６７株、ＳＡＭ２２６９株、およびＳＡＭ２２７０株を提供する。本明細書で、バチラス・サブチリス（Ｂａｃｉｌｌｕｓ  ｓｕｂｔｉｌｉｓ）ＳＡＭ２２６６株などの「特性を有する」というとき、その特性は、菌学的な性質を含む。ＳＡＭ２２６６株、ＳＡＭ２２６７株、ＳＡＭ２２６９株またはＳＡＭ２２７０株の特性を有するというとき、各々の特性は、本明細書の表１に示されている。」と微生物を用いた防除方法及び生産方法が開示されている。
【０００３】
また、海藻を用いた植物体の病害防除として特開平２−８８５９２号（以下、特許文献２という）に、請求項目５青果類の黒変防止剤についての記載がある。
特開昭６３−２１５６１０号（以下、特許文献３という）には、植物体の病害虫防除に効果を有する海藻に関する記載がある。
特開平１０−３３０２１９号（以下、特許文献４という）には、「美白剤，特に美白化粧料は毎日連用されるものであるため、これに配合する有効成分としては、作用が穏和で、連用により十分な効果を現わし、しかも連用による副作用のないものが望まれる。そこでわれわれは、海藻抽出物の中から、有効且つ穏和な皮膚美白作用を有し、さらに安定性も高いものをスクリーニングした。その結果、カイメンソウ属（Ｃｅｒａｔｏｄｉｃｔｙｏｎ），サンゴモ属（Ｃｏｒａｌｌｉｎａ），ヤハズグサ属（Ｄｉｃｔｙｏｐｔｅｒｉｓ），アミジグサ属（Ｄｉｃｔｙｏｔａ）ハリアミジ（Ｄｉｃｔｙｏｔａｓｐｉｎｕｌｏｓａ），ヒジキ属（Ｈｉｚｉｋｉａ），ソゾ属（Ｌａｕｒｅｎｃｉａ），フシツナギ属（Ｌｏｍｅｎｔａｒｉａ），イワヒゲ属（Ｍｙｅｌｏｐｈｙｃｕｓ），ダルス属（Ｐａｌｍａｒｉａ），ホンダワラ（Ｓａｒｇａｓｓｕｍ ｆｕｌｖｅｌｌｕｍ）を除くホンダワラ属（Ｓａｒｇａｓｓｕｍ），イシモズク属（Ｓｐｈａｅｒｏｔｒｉｃｈｉａ）から選択される１種又は２種以上の海藻の抽出物において、高いメラニン生成抑制作用を見いだした。」との記載がある。
【０００４】
【特許文献１】
特開２００１−２４５６５６号
【特許文献２】
特開平２−８８５９２号
【特許文献３】
特開昭６３−２１５６１０号
【特許文献４】
特開平１０−３３０２１９号
【非特許文献１】
平成１４年度版、鹿児島県出版Ｐ９５〜９６
【非特許文献２】
平成１４年度版、鹿児島県出版Ｐ２２３
【０００５】
【発明が解決しようとする課題】
しかしながら、先行技術１はジャガイモそうか病の主な感染源が土壌伝播であるため、種芋消毒では期待以上の効果は得られない。非特許文献２は、作業時の安全性や作業効率、環境への影響の問題さらには病原菌を選択的に殺菌することが困難で土壌中の有益な微生物まで殺菌してしまい、土壌の劣化を招くなどの問題がある。特許文献１には、ジャガイモそうか病の防除に微生物を用いるとの記載はあるが、海藻を用いるという記載がない。また、特許文献２〜４には、紅藻ソゾノハナがジャガイモそうか病の防除に有効であることは全く記載されていない。
【０００６】
本発明は、上記に記載した防除の欠点を克服したジャガイモそうか病に効果的な土壌改良材を提供することを課題とする。さらに、天然の海藻の中で、特にこれらの特性に優れた海藻を見出すとともに、どのような形体でどのような使い方をすれば効果を発揮することができるかを見出すことを目的とする。
【０００７】
【課題を解決するための手段】
本願発明者は、上記の問題点を解決するため、鋭意研究の結果、紅藻ソゾノハナ（Ｌａｕｒｅｎｃｉａ  ｂｒｏｎｇｎｉａｒｔｉｉ）が目的に合致することを見出した。また、紅藻ソゾノハナ（Ｌａｕｒｅｎｃｉａ  ｂｒｏｎｇｎｉａｒｔｉｉ）抽出物を栽培用土に混和することにより、ジャガイモそうか病の抑制に優れ、栽培過程においても安全性が高いことを見出した。かかる知見に基づいて本発明を完成した。
【０００８】
すなわち、本発明のジャガイモそうか病防除土壌改良材は、紅藻ソゾノハナ（Ｌａｕｒｅｎｃｉａ  ｂｒｏｎｇｎｉａｒｔｉｉ）の粉末状粒子を含有することを特徴とする。本発明は、紅藻ソゾノハナ（Ｌａｕｒｅｎｃｉａ  ｂｒｏｎｇｎｉａｒｔｉｉ）の抽出物を含有することを特徴とするジャガイモそうか病防除土壌改良材である。
【０００９】
また、本発明のジャガイモそうか病防除土壌改良材は、紅藻ソゾノハナ（Ｌａｕｒｅｎｃｉａ  ｂｒｏｎｇｎｉａｒｔｉｉ）の抽出物を担体に保持させる。
【００１０】
さらに、上記土壌改良材を栽培用土に混和せしめることを特徴とする施用法である。
なお、本発明におけるジャガイモそうか病とは、ストレプトマイセス（Ｓｔｒｅｐｔｏｍｙｃｅｓ）属放線菌によって引き起こされるそうか病を意味する。
【００１１】
本発明における紅藻ソゾノハナ（Ｌａｕｒｅｎｃｉａ  ｂｒｏｎｇｎｉａｒｔｉｉ）とは、藻類紅藻網イギス目フジマツモ科ソゾ属に属する海藻である。ソゾ属には、他にクロソゾ（Ｌａｕｒｅｎｃｉａ  ｉｎｔｅｒｍｅｄｉａ），ミツデソゾ（Ｌａｕｒｅｎｃｉａ  ｏｋａｍｕｒａｉ），ソゾノハナ（Ｌａｕｒｅｎｃｉａ  ｂｒｏｎｇｎｉａｒｔｉｉ），オオソゾ（Ｌａｕｒｅｎｃｉａ  ｇｌａｎｄｕｌｉｆｅｒａ），ハネソゾ（Ｌａｕｒｅｎｃｉａ  ｐｉｎｎａｔａ），コブソゾ（Ｌａｕｒｅｎｃｉａ  ｕｎｄｕｌａｔａ）等が例示される。本発明では、これらのソゾ属の中でも特にソゾノハナ（Ｌａｕｒｅｎｃｉａ  ｂｒｏｎｇｎｉａｒｔｉｉ）の抽出物がそうか病防除効果の点から好ましい。
【００１２】
【発明の実施の形態】
以下、本発明の実施の形態を説明する。
【００１３】
紅藻ソゾノハナ（Ｌａｕｒｅｎｃｉａ  ｂｒｏｎｇｎｉａｒｔｉｉ）（以下、ソゾノハナという）の抽出物を得る抽出溶媒としては、エタノール，メタノール，イソプロパノール，イソブタノール，ｎ−ヘキサノール，メチルアミルアルコール，２−エチルブタノール，ｎ−オクチルアルコールなどのアルコール類、グリセリン，エチレングリコール，エチレングリコールモノメチルエーテル，エチレングリコールモノエチルエーテル，プロピレングリコール，プロピレングリコールモノメチルエーテル，プロピレングリコールモノエチルエーテル，トリエチレングリコール，１，３−ブチレングリコール，ヘキシレングリコール等の多価アルコール又はその誘導体、アセトン，メチルエチルケトン，メチルイソブチルケトン，メチル−ｎ−プロピルケトンなどのケトン類、酢酸エチル，酢酸イソプロピルなどのエステル類、エチルエーテル，イソプロピルエーテル，ｎ−ブチルエーテル等のエーテル類などの極性溶媒から選択される１種又は２種以上の混合溶媒が好適に使用できる。また、リン酸緩衝生理食塩水を用いることができる。或いは、石油エーテル，ｎ−ヘキサン，ｎ−ペンタン，ｎ−ブタン，ｎ−オクタン，シクロヘキサン等の炭化水素類、四塩化炭素，クロロホルム，ジクロロメタン，トリクロロエチレン，ベンゼン，トルエンなどの低極性溶媒から選択される１種又は２種以上の混合溶媒も好適に使用することができる。
【００１４】
本発明の目的には、食用に施すという観点から、エタノール，メタノール，１，３−ブチレングリコールから選択される１種又は２種以上の混合溶媒および水もしくは海水を添加したもの、あるいはリン酸緩衝生理食塩水が好ましい。
【００１５】本発明で用いられる海藻は、採取したものをそのまま、若しくは乾燥させたものを用いることができる。また、使用部位も特に限定されず、海藻の全体を用いても、体部，枝部，根部など一部のみを用いてもよい。
【００１６】
抽出物が非水溶性で有機溶媒に可溶であるため有機溶媒を選択できる。有機溶媒の中でも低アルキルアルコール（炭素数１〜６直鎖および分岐のもの）が好ましく、より好ましくは炭素数１〜３である。例えば、メチルアルコール、エチルアルコールまたはイソプロピルアルコール、あるいは芋焼酎粕および／または黒糖酒粕に水を添加したものさらに再蒸留してエチルアルコールを主成分としたものなどが例示される。
【００１７】
本発明で用いられるソゾノハナは、採取したものを粉末状にして用いることができる。この粉末を担体に保持して用いることができる。また、使用部位も特に限定されず、ソゾノハナの全体を用いても、体部，枝部，根部など一部のみを用いてもよい。また、ソゾノハナを長期保存する場合は、冷凍保存するのが好ましい。
【００１８】
抽出の際のソゾノハナと溶媒との比率は、ソゾノハナ湿重量の１に対し、抽出溶媒を体積比で３〜６倍量、好ましくは４倍量加えミキサー等の攪拌器で粉砕し、ソゾノハナの脂溶成分を抽出する。抽出温度は、とくに限定しないが、常圧下室温が好ましい。攪拌時間は、抽出に必要な時間であればよく、できるだけ短時間が好ましい。処理量にもよるが、一時間以内で抽出でき、３分〜１５分が好ましく、より好ましくは５分〜８分である。
【００１９】
上記方法により得られたソゾノハナ抽出物をガーゼ等でろ過し、遠心分離機、洗濯機の脱水機構を利用して固液分離する。
この分離した抽出原液を抽出物という。このようにして得られた抽出物をそのまま用いることができるが、抽出物に含有される抽出溶媒がジャガイモ自身や土壌中の善玉微生物群に影響を与え、ジャガイモの生育を阻害する場合には、抽出溶媒を除去することが好ましい。
【００２０】
本発明においては、上記抽出物から抽出溶媒を除去し、ジャガイモそうか病の防除土壌改良材として用いることができる。
【００２１】
本発明においては、ソゾノハナ抽出物を担体に保持させた物質の形でジャガイモそうか病の防除土壌改良材として用いることができる。
【００２２】
上記担体としては、有機質及び無機質のいずれのものでも使用でき、有機質及び無機質の両方を含むものでも良い。具体的には、例えば、バーミキュライト、パーライト、ピートモス、天然ゼオライト、鹿沼土等の無機物、または、バカス、油粕、パルプ、藁等の有機物、あるいはそれら混合物が挙げられる。中でも、保持性、保水性に優れ、安価で使用が簡易なバーミキュライト、ピートモス、バカスが好ましい。担体と抽出物の混合比は体積比で担体１に対し抽出物０．２〜５倍が好ましく、より好ましくは０．５〜１．５倍である。
【００２３】
上記担体と抽出物の混合物からの抽出溶媒を除去は、タンク等に挿入して加熱による蒸留処理する。環境に影響を及ぼさないものについては、風乾および天日干し等により乾燥させする。乾燥に要する時間は、抽出溶媒を除去する時間であれば良いが、２０ｈｒ〜４０ｈｒが好ましい。
【００２４】
本発明において、防除の対象となるのは、ジャガイモそうか病である。本発明の土壌改良材の施用には、土壌混和の方法が挙げることができる。ただし、作物の栽培形態や材型の使用形態によって適宜選択されるため、この方法に限定されない。
施用時期は、新塊茎がそうか病に感染する前に施用することが望ましく、さらに種芋を植える前が好ましく、定植前の１ヶ月前後なら、さらに効果が発揮される。
本発明のジャガイモそうか病防除土壌改良材は、非水溶性のため降雨で流出することがなく土壌中の定着が良好である。
【００２５】
本発明の担体含有の土壌改良材は、圃場への使用量はそうか病が防除できる量であれば良いが、１０アール当たり３００リットル〜９００リットルが好ましい。
【００２６】
【実施例】
以下に具体的実施例により、本発明をさらに詳細に説明するが、本発明はかかる実施例のみに限定されるものではない。
【００２７】
〔実施例１〕
奄美海域で採集した紅藻ソゾノハナを水道水で洗浄した後、水を切り２５０ｇずつ区分した。ソゾノハナ２５０ｇに対し１リットルのメチルアルコール溶媒を加え、室温下ミキサーで約５分間攪拌し粉砕した。ガーゼでろ過しソゾノハナの抽出原液を得た。これを繰り返し５００リットルの抽出物を得た。
【００２８】
〔実施例２〕
実施例１と同じ操作により抽出物５００リットルを得た。得られた抽出原液を１３５リットルの容器に５０リットルずつ入れ、この容器に担体としてバカスを５０リットルずつを浸漬混合させた。この混合物をかき混ぜ、２４ｈｒ扇風機を用いて抽出溶媒を除去し、本発明のジャガイモそうか病防除土壌改良材５００リットルを得た。
【００２９】
〔実施例３〕
実施例１及び実施例２で得られたジャガイモそうか病防除土壌改良材を用いて圃場での施肥試験を実施した。
【００３０】
試験場所は、鹿児島県農業試験場大島支場内でジャガイモ２連作したそうか病発生圃場を用いた。試験は、１区５．５平方メートル（１．１ｍ＊５ｍ）の２区制で実施した。（実施例１）で得られた抽出物を３０００リットル／１０ａ土壌潅注処理した。（実施例２）で得られたジャガイモそうか病防除土壌改良材を１５＊１０３リットル／１０ａ全面土壌混和した。その後、半分に切断した種芋（ジャガイモ）を植え付けた。
【００３１】
対照としてアルコール液（４０％濃度メチルアルコール）の３０００リットル／１０ａ土壌潅注処理区（比較例１）と無処理区（比較例２）を設け、上記種芋を植え付けた。資材の処理は定植前で同日に行った。約４ヶ月後、各区の中央部の１畦３ｍを掘り取りそうか病発生状況およびジャガイモの生育を調査した。この結果を第１表および第２表に示す。
【００３２】
【表１】
2004238308.tif 000002
【００３３】
【表２】
2004238308.tif 000003
【００３４】
第１表、第２表、第３表および第４表におけるジャガイモそうか病の発生状況を下記の発病度及び病斑型別発病塊茎率により評価した。
【００３５】
そうか病の発病度は、ジャガイモの表面を観察してそうか病の無発生を指数０、病斑面積率が１％以下を指数１、１％以上〜１０％未満を指数２、１０％以上〜２５％未満を指数３、２５％以上〜５０％未満を指数４及び病斑面積率が５０％以上を指数５とし、各試験区ごとに指数０〜５に該当するジャガイモの数を数え以下の式によりそうか病の発病度を求めた。
【００３６】
【数１】
そうか病の発病度（％）＝｛（１＊ｎ１＋２＊ｎ２＋３＊ｎ３＋４＊ｎ４＋５＊ｎ５）／（５＊ｎ）｝＊１００
［式中、ｎ１、ｎ２、ｎ３、ｎ４およびｎ５は発病指数１、２、３、４及び５のそれぞれに該当するジャガイモの数、ｎは調査したジャガイモの総数を示す。］
【００３７】
また、病斑型別発病塊茎率は、ジャガイモの表面を観察してそうか病の病斑型を、類円形噴火口状及び陥没型病斑をＩ、類円形表面型病斑をＩＩ、星状型亀裂病斑をＩＩＩ、  類円形隆起型病斑をＩＶ、網目型及び亀裂型病斑発生をＶとし、各試験区ごとに該当する病斑型のジャガイモの数を数え以下の式によりジャガイモ１００個に対する割合を求めた。
【００３８】
【数２】
そうか病の病斑型別発病塊茎率＝病斑型（Ｉ、ＩＩ、ＩＩＩ、ＩＶ、Ｖ）別のジャガイモ数／ジャガイモ調査個数＊１００
【００３９】
第１表に示すとおり、本発明土壌改良材を用いることでジャガイモそうか病防除に有効であることが確認された。また、第２表から抽出溶媒を含有した抽出物は、不萌芽数が実施例２および比較例２より高く、ジャガイモの生育を阻害することが確認された。
【００４０】
実施例３及び比較例３〜４上記実施例１〜２と同様の操作を行い、担体にバーミキュライトを用いて本発明の土壌改良材を得た。
【００４１】
ここで得られた本発明の土壌改良材について、圃場での施肥試験を実施した。試験場所は、鹿児島県大島郡和泊現地圃場内で、ジャガイモ６連作した圃場で前年度の発生が、発病度２０．８、発病塊茎率が６１．０％の圃場を選定して試験圃場とした。試験区に１区１１０平方メートル（５畦、５．５ｍ＊２０ｍ）の１区制で実施した。その内１区に本発明の土壌改良材を５００リットル／１０ａ施用し（実施例３）、対照としてバーミキュライト単体を５００リットル／１０ａを施用した区（比較例２）と無処理区（比較例３）を設けた。その後、それぞれの試験区に半分に切断した種芋（ジャガイモ）を植え付けた。資材処理は定植前に全面土壌混和処理とし施肥耕耘後直ちに定植した。約４ヶ月後、各区の中央畦１畦の３ｍを３箇所掘り取りそうか病の発生状況を調査した。その結果、表３に示す。
【００４２】
【表３】
2004238308.tif 000004
【００４３】
第３表に示すとおり、本発明土壌改良材は、比較例３、４より優れた防除効果が確認された。
【００４４】
実施例４および比較例５〜７上記実施例１および実施例２と同様の操作を行い、担体にバーミキュライトを用いて本発明の土壌改良材を得た。
【００４５】
ここで得られた土壌改良材について、圃場での施肥試験を実施した。試験場所は、鹿児島県大島郡和泊現地圃場内で、前年度そうか病の発生が確認された圃場を選定して試験圃場とした。試験区は、１区３５平方メートルの１区制で実施した。その内１区に本発明の土壌改良材を５００リットル／１０ａ土壌混和した（実施例４）。対照として、バーミキュライト単体５００リットル／１０ａの施用区（比較例５）、さらに微生物資材の中で最も効果が高いとされるグリオクラディウム（ＩＫ−ＰＧ２）（出光興産株式会社製）２００リットル／１０ａの施用区（比較例６）と無処理区を設けた（比較例７）。その後、それぞれの試験区に半分に切断した種芋（ジャガイモ）を植え付けた。資材処理は定植の４５日前に行った。約４ヶ月後、各区の中央畦１畦の３ｍを掘り取りそうか病の発生状況を調査した。その結果、表３に示す。
【００４６】
【表４】
2004238308.tif 000005
【００４７】
第４表に示すとおり、本発明土壌改良材は、比較例５および７より優れた防除効果が確認され、さらには比較例６のグリオクラディウム（ＩＫ−ＰＧ２）（特開平１０−１７４２２号）と同程度またはそれ以上の防除効果が確認された。これは、資材処理を定植４５日前に行なうことにより、担体が土壌中で崩壊し抽出物が分散されたため、より効果を発揮したものと考えられる。
【００４８】
〔実施例５〕
奄美海域で採集した紅藻ソゾノハナを水道水で洗浄した後、水を切り２５０ｇずつ区分した。ソゾノハナ２５０ｇに対し１リットルの黒糖焼酎粕水溶液を添加し、室温下ミキサーで約５分間攪拌し粉砕した。ガーゼでろ過しソゾノハナの抽出原液を得た。これを繰り返し５００リットルの抽出物を得た。
この抽出液を担体ピートモスに保持し、圃場テストした。同様にジャガイモそうか病に効果が認められた。
【００４９】
【発明の効果】
以上説明したように本発明により、従来のジャガイモそうか病に対する防除方法に比べ防除効果が優れ、作業時の安全性や作業効率が高く、人体及び地球環境に優しい環境調和型のあるいは環境保全型の土壌改良資材を得ることができた。しかも本発明は、天然のソゾノハナから容易に製造できる土壌改良材であり、かつ担体に土壌改善に良好な有機質や無機質の資材を用いることで、土壌の劣化を防ぐことも可能である。